(57)【要約】【課題】  本発明は、ＬＥＤ点灯／消灯制御機能を有していながら繰り返しの開閉にはＬＥＤ点灯を行わないことで、省電力化を図ることができる情報端末を提供することを目的とする。【解決手段】  状態検出手段２３１が開状態を検出した場合に、計数手段２３３の回数が所定回数に達しているか否かを判断し、計数手段２３３の回数が所定回数に達していない場合には、発光体を点灯させ、一方、計数手段２３３の回数が所定回数に達した場合には、更に、第１の計時手段２３４が第１の所定時間を計時したか否かを判断し、第１の所定時間を計時したと判断した場合に発光体を点灯させる。【選択図】  図３
2005079895.tif 000002
【特許請求の範囲】
【請求項１】
第１のケースと、
この第１のケースと開閉自在に取り付けられる第２のケースと、
前記第１のケース又は第２のケースの少なくとも一方に設けられる表示部と、
前記表示部を照らす発光体とを備える情報端末において、
前記第１のケースと第２のケースが閉状態から開状態に変化したことを検出する状態検
出手段と、
前記状態検出手段が前記開状態に変化したことを検出した場合に、この開状態に変化し
た回数を数える計数手段と、
前記状態検出手段が前記開状態に変化したことを検出した場合に、第１の所定時間の計
時を開始する第１の計時手段と、
前記状態検出手段が前記開状態を検出した場合に、前記計数手段の回数が所定回数に達
しているか否かを判断し、前記計数手段の回数が前記所定回数に達していない場合には、
前記発光体を点灯させ、一方、前記計数手段の回数が所定回数に達した場合には、更に、
前記第１の計時手段が前記第１の所定時間を計時したか否かを判断し、前記第１の所定時
間を計時したと判断した場合に前記発光体を点灯させる点灯制御手段と
を具備することを特徴とする情報端末。
【請求項２】
第１のケースと、
この第１のケースと開閉自在に取り付けられる第２のケースと、
前記第１のケース又は第２のケースの少なくとも一方に設けられる入力部と、
前記入力部を照らす発光体とを備える情報端末において、
前記第１のケースと第２のケースが閉状態から開状態に変化したことを検出する状態検
出手段と、
前記状態検出手段が前記開状態に変化したことを検出した場合に、この開状態に変化し
た回数を数える計数手段と、
前記状態検出手段が前記開状態に変化したことを検出した場合に第１の所定時間の計時
を開始する第１の計時手段と、
前記状態検出手段が前記開状態検出した場合に、前記計数手段の回数が所定回数に達し
ているか否かを判断し、前記計数手段の回数が前記所定回数に達していない場合には、前
記発光体を点灯させ、一方、前記計数手段の回数が前記所定回数に達した場合には、更に
、前記第１の計時手段が前記第１の所定時間を計時したか否かを判断し、前記第１の所定
時間を計時したと判断した場合に前記発光体を点灯させる点灯制御手段と
を具備することを特徴とする情報端末。
【請求項３】
第１のケースと、
この第１のケースと開閉自在に取り付けられる第２のケースと、
前記第１のケース又は第２のケースの少なくとも一方に設けられる表示部と、
前記表示部を照らす発光体とを備える情報端末において、
前記第１のケースと第２のケースが閉状態から開状態に変化したことを検出する状態検
出手段と、
前記状態検出手段が前記開状態に変化したことを検出した場合に、この開状態に変化し
た回数を数える計数手段と、
前記状態検出手段が前記開状態に変化したことを検出した場合に、第１の所定時間の計
時を開始する第１の計時手段と、
前記状態検出手段が前記開状態に変化したことを検出した場合に、第２の所定時間の計
時を開始する第２の計時手段と、
前記状態検出手段が前記開状態を検出した場合に、前記計数手段の回数が所定回数に達
しているか否かを判断し、前記計数手段の回数が前記所定回数に達していない場合には、
前記発光体を点灯させ、一方、前記計数手段の回数が所定回数に達した場合には、更に、
前記第１の計時手段による計時が前記第１の所定時間を経過したか否かを判断し、前記第
１の所定時間を経過したと判断した場合に前記発光体を点灯させ、且つ、前記第２の計時
手段による計時が前記第２の所定時間を計時したか否かを判断し、前記第２の所定時間を
計時したと判断した場合には、前記計数手段の回数を初期の値に戻す点灯制御手段と
を具備することを特徴とする情報端末。
【請求項４】
第１のケースと、
この第１のケースと開閉自在に取り付けられる第２のケースと、
前記第１のケース又は第２のケースの少なくとも一方に設けられる入力部と、
前記入力部を照らす発光体とを備える情報端末において、
前記第１のケースと第２のケースが閉状態から開状態に変化したことを検出する状態検
出手段と、
前記状態検出手段が前記開状態に変化したことを検出した場合に、この開状態に変化し
た回数を数える計数手段と、
前記状態検出手段が前記開状態に変化したことを検出した場合に、第１の所定時間の計
時を開始する第１の計時手段と、
前記状態検出手段が前記開状態に変化したことを検出した場合に、第２の所定時間の計
時を開始する第２の計時手段と、
前記状態検出手段が前記開状態を検出した場合に、前記計数手段の回数が所定回数に達
しているか否かを判断し、前記計数手段の回数が前記所定回数に達していない場合には、
前記発光体を点灯させ、一方、前記計数手段の回数が所定回数に達した場合には、更に、
前記第１の計時手段による計時が前記第１の所定時間を経過したか否かを判断し、前記第
１の所定時間を経過したと判断した場合に前記発光体を点灯させ、且つ、前記第２の計時
手段による計時が前記第２の所定時間を計時したか否かを判断し、前記第２の所定時間を
計時したと判断した場合には、前記計数手段の回数を初期の値に戻す点灯制御手段と
を具備することを特徴とする情報端末。
【発明の詳細な説明】
【技術分野】
【０００１】
本発明は、携帯電話端末やＰＤＡ（Ｐｅｒｓｏｎａｌ  Ｄｉｇｉｔａｌ  Ａｓｓｉｓｔ
ａｎｔｓ）などの情報端末に関する。
【背景技術】
【０００２】
近年、携帯用の情報端末が開発され、普及してきている。この携帯用の情報端末は、利
用者が入力操作や画面表示を行っている際中は、情報端末の操作を利用者に容易に行わせ
るために、ＬＥＤを点灯させることでＬＣＤやキーパッド等の操作表示部を情報端末内部
から照らしている。そして、利用者が操作を行わない時は、省電力を図るためにこのＬＥ
Ｄを消灯する制御が行われる。この携帯用の情報端末の一形態として、上ケースと下ケー
スとをヒンジ部により互いに開閉可能に連結した構造を有する折り畳み式情報端末がある
。この折り畳み式情報端末は使用時には重なりあう２つの上下のケースを開き、不使用時
には２つの上下のケースを折り畳んでコンパクトにできる特徴を持つ。この折り畳み式情
報端末には、上下ケースが閉じて折り畳まれた状態から利用者より上下のケースが開かれ
た時にそれを検出して自動的にＬＥＤを点灯し、一方、上下ケースが開かれた状態から利
用者により上下のケースが閉じられ折り畳まれた時にそれを検出して点灯していたＬＥＤ
を消灯する機能（以下、ＬＥＤ点灯／消灯制御機能と称する）があることが知られている
。
【０００３】
従来のＬＥＤ点灯／消灯制御機能を有する折り畳み式情報端末は、上述した様に、利用
者が上下のケースを開くこと／折り畳むこと（以下、開閉動作と称する）で自動的にＬＥ
Ｄの点灯／消灯を行わせるので、利用者の操作性向上と省電力化の向上が図れる。しかし
、この折り畳み式情報端末の利用者の中には、開閉動作の感触を楽しむため又は単なる個
人的な癖のため、短時間の間に開閉動作を必要以上に繰り返す者がいる。このような使用
状態であっても、利用者が上下のケースを開くと常にＬＥＤを点灯させ、上下のケースを
閉じると常にＬＥＤを消灯にするため、不必要な電力消費を起すという問題があった。
【０００４】
この問題を解決すべく、この折り畳み式情報端末には、上下のケースが折り畳まれた状
態になった後、所定時間経過後に上下ケースが開かれた状態になった場合は自動的にＬＥ
Ｄを点灯させ、所定時間経過前に上下ケースが開かれた状態になった場合は、キー入力が
行われたことを条件としてＬＥＤを点灯させる機能があることが知られている（例えば特
許文献１参照）。
【特許文献１】特開２００２−３００２７０号公報（第３−５頁、図３）
【発明の開示】
【発明が解決しようとする課題】
【０００５】
このＬＥＤ点灯／消灯制御機能を有する折り畳み式情報端末は、所定時間経過の是非に
よってＬＥＤを点灯させるかどうかを決定するため、所定時間経過前に上下のケースが開
かれた状態になった場合は、常にＬＥＤを点灯させない。そのため、利用者の癖等のため
と考えるにはあまりに少ない回数の開閉動作の繰り返しであっても、短時間に行われれば
ＬＥＤは点灯されないという問題があった。また、所定時間経過前に上下のケースが開か
れた状態になった場合は、キー入力が検出されるまでＬＥＤを点灯させないため、ＬＥＤ
を点灯させるためには利用者が別途の操作を行わなければならないという問題があった。
【０００６】
そこで、本発明はこの問題点を除去し、ＬＥＤ点灯／消灯制御機能を有していながら、
利用者により短時間の間に繰り返し開閉動作が所定の回数行われるときにはＬＥＤ点灯を
行わないとすることで省電力化を図るとともに、利用者が折り畳み式情報端末を使用する
ために上下のケースを開いた状態にした場合にも、別途の操作を行うことなく自動的にＬ
ＥＤを点灯させることができる情報端末を提供することを目的とする。
【課題を解決するための手段】
【０００７】
上記目的を達成するために、本発明による情報端末は、第１のケースと、この第１のケ
ースと開閉自在に取り付けられる第２のケースと、前記第１のケース又は第２のケースの
少なくとも一方に設けられる表示部と、前記表示部を照らす発光体とを備える情報端末に
おいて、前記第１のケースと第２のケースが閉状態から開状態に変化したことを検出する
状態検出手段と、前記状態検出手段が前記開状態に変化したことを検出した場合に、この
開状態に変化した回数を数える計数手段と、前記状態検出手段が前記開状態に変化したこ
とを検出した場合に、第１の所定時間の計時を開始する第１の計時手段と、前記状態検出
手段が前記開状態を検出した場合に、前記計数手段の回数が所定回数に達しているか否か
を判断し、前記計数手段の回数が前記所定回数に達していない場合には、前記発光体を点
灯させ、一方、前記計数手段の回数が所定回数に達した場合には、更に、前記第１の計時
手段が前記第１の所定時間を計時したか否かを判断し、前記第１の所定時間を計時したと
判断した場合に前記発光体を点灯させる点灯制御手段とを具備することを特徴とする。
【発明の効果】
【０００８】
以上説明したように、本発明の通信端末によれば、第１のケースと第２のケースとが開
状態となる回数を数えておき、第１のケースと第２のケースとが開状態となった時に回数
が所定回数に達していない場合は発光体を点灯し、一方、回数が所定回数に達していない
場合は第１の所定時間経過後に発光体を点灯するようにした。これにより、短時間の間に
繰り返し開閉動作が行われた場合には発光体の点灯を行わないよう制御することが可能に
なり、省電力化を図ることができる。
【発明を実施するための最良の形態】
【０００９】
（第１の実施の形態）
以下に、本発明の情報端末の第１の実施の形態を、図１乃至から図５を参照して説明す
る。
【００１０】
図１は、本発明を適用した折り畳み式携帯電話端末の斜視図であり、（ａ）には、折り
畳み式携帯電話端末が折り畳まれた閉状態（以下、閉状態と称する）の外観を示し、（ｂ
）には、折り畳み式携帯電話端末が開かれた開状態（以下、開状態と称する）の外観を示
す。図２は、本発明を適用した折り畳み式携帯電話端末の内部構成を示すブロック図であ
る。図３は、本発明を適用した折り畳み式携帯電話端末のマイクロプロセッサ２３のブロ
ック図である。図４は、本発明を適用した折り畳み式携帯電話端末の第１の実施の形態の
動作を示す第１のフローチャートである。図５は、本発明を適用した折り畳み式携帯電話
端末の第１の実施の形態の動作を示す第２のフローチャートである。
【００１１】
本発明を適用した折り畳み式携帯電話端末（以下、折畳端末と称する）は図１（ａ）、
図１（ｂ）に示すように、上ケースＡと、下ケースＢと、この上ケースＡと下ケースＢと
を開閉可能に接続するヒンジ部Ｃを備えている。そして、上ケースＡには、表示部３３等
が設けられている。表示部３３は、例えば、キー入力部３６から入力された各種データや
発信者の電話番号、送信又は受信する電子メール情報などを表示する。下ケースＢには、
キー入力部３６と、開閉検出スイッチ３９等が設けられている。キー入力部３６は、例え
ば、文字や数字を入力するためのデータ入力キーや通話開始キー、終話キー等のキー群を
有する。開閉検出スイッチ３９は、上ケースＡから押されているか否かにより折畳端末の
開閉状態を検出するものであり、上ケースＡと下ケースＢが折り畳まれた状態となり開閉
検出スイッチ３９が上ケースＡに押されている場合には折畳端末が閉状態であると検出し
、一方、開閉検出スイッチ３９が上ケースＡに押されていいない場合には折畳端末が開状
態であると検出する。
【００１２】
この折畳端末は、利用者が通話等を行わないときは、図１（ａ）に示すように閉状態で
携帯される。そして、発着信時又は端末の機能等の設定時は、図１（ｂ）に示すように開
状態で通話操作等を行う。
【００１３】
この折畳端末は、図２に示すように無線部１と、制御部２と、入出力部３と、電源部４
とを有する。
【００１４】
無線部１は、アンテナ１１、デュプレクサ１２、送信部１３、受信部１４、シンセサイ
ザ１５から構成され、所定の通信プロトコルに従い、この無線部１を介して無線信号の送
受信を行う。
【００１５】
制御部２は、ＲＯＭ２１、ＲＡＭ２２、マイクロプロセッサ２３から構成されている。
【００１６】
ＲＯＭ２１は、端末の動作を制御する各種プログラムが記憶されている。ＲＡＭ２２は、
各種データが記憶される記憶部であり、さらには、各種ワークメモリとしても利用される
。マイクロプロセッサ２３は、折畳端末全体の制御を司る制御部である。
【００１７】
入出力部３は、カメラ３１、表示駆動部３２、表示部３３、マイク３４、レシーバ３５
、キー入力部３６、バイブレータ３７、スピーカ３８、開閉検出スイッチ３９、表示部Ｌ
ＥＤ３３１、キー入力部ＬＥＤ３６１から構成されている。
【００１８】
制御部２は、利用者によってキー入力部３６から入力された各種データ及び発信者の電
話番号等を表示部３３に表示したり、マイク３４から入力された音声、キー入力された電
子メール情報、カメラ３１で撮影した映像情報などが無線部１から送信したり、無線部１
を介して受信した相手の音声又は電子メール情報をレシーバ３５又は表示部３３から出力
したり、通話着信やメール着信を報知するための着信報知をバイブレータ３７やスピーカ
３８で行ったりする。
【００１９】
表示部ＬＥＤ３３１は、表示部３３を折畳端末内部から照明するための光源である。キ
ー入力部ＬＥＤ３６１は、キー入力部３６を折畳端末内部から照明するための光源である
。この表示部ＬＥＤ３３１及びキー入力部ＬＥＤ３６１は、制御部２からの制御に基づい
て、利用者が通話操作等をするために折畳端末を開いた時、又はキー入力部３６から入力
した時に点灯する。これは、利用者が通話操作等を行うときに表示部３３等を折畳端末内
部から照らすことによって、利用者に表示部３３等を見易くさせ、通話操作等を容易に行
わせるためである。
【００２０】
電源部４は、電源４１、充電回路４２、電池４３から構成されており、折畳端末への電
源供給を行っている。
【００２１】
尚、図２においては折畳端末が一般的に装備する構成を示したが、カメラ３１、バイブ
レータ３７などを装備しない折畳端末であっても良い。
【００２２】
次に、本実施の形態の折畳端末におけるマイクロプロセッサ２３の構成について説明す
る。マイクロプロセッサ２３は、図３に示すように、状態検出手段２３１と、点灯制御手
段２３２と、計数手段２３３と、第１の計時手段２３４と、第２の計時手段２３５とを具
備している。これらは、ソフトウェア又はハードウェアのいずれで構成されていても良い
。
【００２３】
状態検出手段２３１は、開閉検出スイッチ３９の状態によって折畳端末が閉状態から開
状態に変化したこと又は折畳端末が開状態から閉状態に変化したことを検出し、それを点
灯制御手段２３２、計数手段２３３、第１の計時手段２３４及び第２の計時手段２３５に
通知する手段である。
【００２４】
計数手段２３３は、状態検出手段２３１によって折畳端末が開状態であることを検出し
た場合に、この開状態に変化した回数を数え、この回数を点灯制御手段２３２に通知する
手段である。
【００２５】
第１の計時手段２３４は、状態検出手段２３１によって折畳端末が閉状態から開状態へ
の変化を検出した時に計時を開始し、この計時時間を点灯制御手段２３２に通知する手段
である。
【００２６】
第２の計時手段２３５は、状態検出手段２３１によって折畳端末が閉状態から開状態へ
の変化を検出した時に計時を開始し、この計時時間を点灯制御手段２３２に通知する手段
である。
【００２７】
点灯制御手段２３２は、状態検出手段２３１、計数手段２３３、第１の計時手段２３４
及び第２の計時手段２３５との間でデータの送受信を行って、入出力部３の表示部ＬＥＤ
３３１及びキー入力部ＬＥＤ３６１の点灯を制御する手段である。
【００２８】
次に、第１の実施の形態の動作を、図４及び図５のフローチャートを参照して説明する
。
【００２９】
マイクロプロセッサ２３の状態検出手段２３１は、折畳端末が閉状態から開状態に変化
したかを開閉検出スイッチ３９より常時監視している。このとき、計数手段２３３の検出
している回数（以下、開回数と称する）は「０」であり、開回数Ｘ＝０をＲＡＭ２２に記
憶する（図４のステップ４ａ）。
【００３０】
状態検出手段２３１が、折畳端末が閉状態から開状態へ変化したことを検出すると（図
４のステップ４ｂのＹｅｓ）、閉状態から開状態へ変化した旨を示す検出信号を点灯制御
手段２３２及び計数手段２３３に通知する。計数手段２３３は、開回数に１を足し、開回
数Ｘ＝０＋１とし、この回数を点灯制御手段２３２に通知する（図４のステップ４ｃ）。
【００３１】
次に、点灯制御手段２３２は開回数Ｘが２以上であるか否かを判断する（図４のステッ
プ４ｄ）。今は開回数Ｘ＝１であるため、開回数Ｘが２以上でないと判断し（図４のステ
ップ４ｄのＮｏ）、点灯制御手段２３２は、表示部ＬＥＤ３３１等を点灯させる（図４の
ステップ４ｅ）。これによって、利用者は表示部３３等の視認がし易くなる。
【００３２】
次に、状態検出手段２３１は、折畳端末が開状態から閉状態へ変化したか否か開閉検出
スイッチ３９の状態によって監視する（図５のステップ５ａ）。状態検出手段２３１が、
折畳端末が開状態から閉状態へ変化したことを検出すると（図５のステップ５ａのＹｅｓ
）、開状態から閉状態へ変化した旨を示す検出信号を点灯制御手段２３２に通知する。こ
の検出信号の通知を受けると点灯制御手段２３２は、表示部ＬＥＤ３３１を消灯させ（ス
テップ５ｂ）、図４のステップ４ｂに戻る（図５のステップ５ｃ）。
【００３３】
図４のステップ４ｂにおいて、状態検出手段２３１が、折畳端末が閉状態から開状態へ
変化したことを検出した場合（図４のステップ４ｂのＹｅｓ）、閉状態から開状態へ変化
した旨を示す検出信号を点灯制御手段２３２及び計数手段２３３に通知する。計数手段２
３３は検出信号の通知がされると、開回数Ｘに１を足し（開回数Ｘ＝１＋１＝２）、この
回数を点灯制御手段２３２に通知する（図４のステップ４ｃ）。
【００３４】
次に、点灯制御手段２３２は、開回数Ｘが所定回数である２以上であるか否かを判断す
る（図４のステップ４ｄ）。今回は、開回数Ｘ＝２であるため、点灯制御手段２３２は、
開回数Ｘが所定回数である２以上であると判断する（図４のステップ４ｄのＹｅｓ）。
【００３５】
次に、点灯制御手段２３２は、第１の計時手段２３４の計時時間をチェックし、第１の
計時手段２３４の計時時間が２秒以上であるか否かを判断する（図４のスッテプ４ｆ）。
【００３６】
なお、この第１の計時手段２３４は、図４のステップ４ｂで状態検出手段２３１が折畳端
末が閉状態から開状態への変化を検出したときに、状態検出手段２３１からその旨の通知
を受けており、この通知の受信に応じて計時を開始している。点灯制御手段２３２は、第
１の計時手段２３４の計時時間が２秒（第１の所定時間）に達していない場合（図４のス
ッテプ４ｆのＮｏ）は、次いで状態検出手段２３１から折畳端末が開状態から閉状態に変
化した旨を示す通知を受信したか否かを判断し（図４のスッテプ４ｇ）、この判断の結果
通知を受けていない場合（図４のステップ４ｇのＮｏ）はステップ４ｆに戻り、第１の計
時手段２３４の計時時間が２秒以上であるかをチェックする。
【００３７】
ここで、点灯制御手段２３２は、第１の計時手段２３４の計時時間が２秒以上であると
判断した場合（図４のステップ４ｆのＹｅｓ）表示部ＬＥＤ３３１等を点灯させる（図４
のステップ４ｅ）。即ち、２秒以上開状態であることは、利用者による入力操作又は表示
操作であると判断されることから、表示部ＬＥＤ３３１等を点灯させることになる。
【００３８】
一方、図４のステップ４ｇにおいて、点灯制御手段２３２は、状態検出手段２３１から
折畳端末が開状態から閉状態へ変化したことを検出した旨を示す通知を受けた場合（図４
のステップ４ｇのＹｅｓ）、図４のステップ４ｂに戻る。
【００３９】
これにより、利用者が初めて折畳端末を開いた場合（開回数が１回の場合）は即座に表
示部ＬＥＤ３３１、及び、キー入力部ＬＥＤ３６１を点灯させるが、開いた状態から２秒
が経過する前に閉じられて再度開かれた場合（開回数が２回以上の場合）は、表示部ＬＥ
Ｄ３３１、及び、キー入力部ＬＥＤ３６１を点灯させないようにしている。
【００４０】
従って、利用者が短期間の間に開閉動作を繰り返す場合は照明する必要のない不必要な
開閉であると考えられ、表示部ＬＥＤ３３１等を即座に点灯させなくすることが出来る。
【００４１】
一方、開状態が所定時間以上維持されている場合は、利用者が表示部３３の表示内容を
確認するなど折畳端末の利用をしていることが想定できるため、点灯制御手段２３２によ
り表示部ＬＥＤ３３１等の点灯が維持される。
【００４２】
以上のとおり、第１の実施の形態によれば、ＬＥＤ点灯／消灯制御機能を有する折畳端
末でありながら、繰り返しの開閉に対して、所定の開回数以降は表示部ＬＥＤ３３１等を
点灯させず、利用者が折畳端末を使用するために開状態にした場合には、所定時間が経過
することによって、別途の操作を行うことなく自動的に表示部ＬＥＤ３３１等を点灯させ
る。
【００４３】
ここで、計数手段２３３が数える所定回数を「２」としたが、この値は２回以上の所定
の回数に変えることが出来る。また、第１の計時手段２３４が計時する第１の所定時間は
２秒としたが、この時間も所定の時間に変えることが出来る。
【００４４】
尚、表示部ＬＥＤ３３１及びキー入力部３６１の点灯は、両方が点灯する場合に限らず
、一方のみの点灯でもよい。
【００４５】
（第２の実施の形態）
次に、本発明の第２の実施の形態について、その動作を、図６及び図７のフローチャー
トを参照して説明する。
【００４６】
図６は、本発明を適用した折り畳み式携帯電話端末の第２の実施の形態の動作を示す第
１のフローチャートである。図７は、本発明を適用した折り畳み式携帯電話端末の第２の
実施の形態の動作を示す第２のフローチャートである。
【００４７】
尚、図６のフローチャートに示すステップ４ａ〜４ｇ及び図７のフローチャートに示す
ステップ５ａ〜５ｃは、図４に示す第１の実施の形態の第１のフローチャートのステップ
４ａ〜４ｇ及び図５に示す第１の実施の形態の第２のフローチャートのステップ５ａ〜４
ｃと同様であるので、それらの説明は省略し、以下に、図６及び図７に示すフローチャー
トの異なる点のみ、その動作を説明する。
【００４８】
第２の実施の形態では、第２の計時手段２３５にて折畳端末が開かれた時点からの経過
時間を計時し、その計時時間が第２の所定時間（例えば、３秒）を経過した場合に計数手
段２３３により計数されていた開回数を「０」に戻すようにしている。ここで、第２の計
時手段２３５は、折畳端末が開かれてから次に折畳端末が開かれるまで経過時間を計時す
るものであり、折畳端末が開かれる度に計時時間を初期値の０にリセットして計時を行う
。
【００４９】
点灯制御手段２３２は、状態検出手段２３１から折畳端末が閉状態から開状態へ変化し
た旨を示す検出信号の通知がされたか否かを判断し、通知されていない場合（図６のステ
ップ４ｂのＮｏ）、図６のステップ６ａに進む。この場合、計数手段２３３が検出してい
る開回数は維持される。ここで、点灯制御手段２３２は計数手段２３３が検出している開
回数が「０」か否かを判断し、「０」でない場合（図６のステップ６ａのＮｏ）、図６の
ステップ６ｂに進む。
【００５０】
次に、点灯制御手段２３２は、第２の計時手段２３５の計時時間をチェックする。
【００５１】
この第２の計時手段２３５は、図６のステップ４ｂで状態検出手段２３１からの折畳端末
が閉状態から開状態へ変化した旨を示す検出信号を受信し、この検出信号の受信に応じて
計時を開始している。点灯制御手段２３２は、第２の計時手段２３５の計時時間が３秒（
第２の所定時間）に達したか否かを判断し、３秒に達したと判断した場合（図６のステッ
プ６ｂのＹｅｓ）、開回数を「０」に戻し、開回数Ｘ＝０をＲＡＭ２２に記憶する（ステ
ップ６ｃ）。そして、図６のステップ４ｂに戻る。
【００５２】
一方、図６のステップ６ａにおいて、開回数が０であると判断した場合（図６のステッ
プ６ａのＹｅｓ）、又は、図６のステップ６ｂにおいて第２の計時手段２３５の計時時間
が３秒（第２の所定時間）に達していないと判断した場合（図６のステップ６ｂのＮｏ）
、図６のステップ４ｂに戻る。
【００５３】
ところで、図６のステップ４ｂにおいて折畳端末が開状態となったと判断し、図６のス
テップ４ｄにおいて開回数が「２」以上でないと判断した場合、点灯制御手段２３２は、
表示部ＬＥＤ３３１、及び、キー入力部ＬＥＤ３６１を点灯させた後（図６のステップ４
ｅ）、図７のステップ５ａに移る。このステップにおいて、点灯制御手段２３２は、状態
検出手段２３１から折畳端末が開状態から閉状態へ変化した旨を示す検出信号が通知され
たか否か判断し、通知されていないと判断した場合（図７のステップ５ａのＮｏ）、図７
のステップ７ａに進む。ここで、点灯制御手段２３２は、計数手段２３３にて計数されて
いる開回数が「０」か否かを判断し、開回数が「０」でないと判断した場合（ステップ７
ａのＮｏ）、図７のステップ７ｂに進む。
【００５４】
図７のステップ７ｂにおいて、点灯制御手段２３２は第２の計時手段２３５の計時時間
をチェックする。この第２の計時手段２３５は、図６のステップ４ｂで状態検出手段２３
１から折畳端末が閉状態から開状態への変化を検出した時にその旨を示す検出信号の通知
を受け、この通知の受信に応じて計時を開始している。点灯制御手段２３２は、第２の計
時手段２３５の計時時間が３秒（第２の所定時間）に達しているか否かを判断し、３秒に
達していると判断した場合（図７のステップ７ｂのＹｅｓ）開回数を「０」に戻し、開回
数Ｘ＝０をＲＡＭ２２に記憶する（ステップ７ｃ）。そして、図７のステップ５ａに戻る
。
【００５５】
一方、図７のステップ７ａにおいて開回数が０であると判断した場合（図７のステップ
７ａのＹｅｓ）、又は、第２の計時手段２３５の計時時間が３秒（第２の所定時間）に達
していないと判断した場合（図７のステップ７ｂのＮｏ）、図７のステップ５ａに戻る。
【００５６】
これにより、利用者が初めて折畳端末を開いた場合（開回数が１回の場合）は即座に表
示部ＬＥＤ３３１、及び、キー入力部ＬＥＤ３６１を点灯させるが、開いた状態から２秒
が経過する前に閉じられて再度開かれた場合（開回数が２回以上の場合）は、表示部ＬＥ
Ｄ３３１、及び、キー入力部ＬＥＤ３６１を点灯させないようにしている。従って、利用
者が短期間の間に開閉動作を繰り返す場合は照明する必要のない開閉であると考えられ、
表示部ＬＥＤ３３１等を即座に点灯させなくすることが出来る。
【００５７】
一方、開状態が第１の所定時間（２秒）以上維持されている場合は、利用者が表示部３
３の表示内容を確認するなど折畳端末の利用をしていることが想定できるため、点灯制御
手段２３２により表示部ＬＥＤ３３１等の点灯が維持される。
【００５８】
更に、折畳端末が一旦開かれてから次に開かれるまでの間隔が第２の所定時間（３秒）
以上経過している場合は、利用者が短期間の間に開閉動作を繰り返していない場合である
と考えられるので、それまでにカウントしていた開回数を０に戻すことにより、次に折畳
端末が開いた状態になったときに表示部ＬＥＤ３３１等を即座に点灯させることができる
。
【００５９】
以上のとおり、第２の実施の形態によれば、ＬＥＤ点灯／消灯制御機能を有する折畳端
末でありながら、繰り返しの開閉に対して、所定の開回数以降は第１の所定時間が経過す
るまで表示部ＬＥＤ等を点灯させず、かつ所定回数以降であっても、第２の所定時間経過
後に折畳端末が開状態になった場合は、元のＬＥＤ点灯／消灯制御機能を行う。
【００６０】
以上のとおり、第２の実施の形態によれば、ＬＥＤ点灯／消灯制御機能を有する折畳端
末でありながら、繰り返しの開閉に対して、所定の開回数以降は表示部ＬＥＤ３３１等を
点灯させず、利用者が折畳端末を使用するために開状態にした場合には、第１の所定時間
が経過することによって、別途の操作を行うことなく自動的に表示部ＬＥＤ３３１等を点
灯させ、かつ所定回数以降であっても、第２の所定時間経過後に折畳端末が開状態になっ
た場合は、元のＬＥＤ点灯／消灯制御機能を行う。
【００６１】
ここで、第２の計時手段２３５が計時する第２の所定時間は３秒としたが、この時間も
所定の時間に変えることが出来る。
【００６２】
また、第１の計時手段２３４と第２の計時手段２３５は、ソフトウェアまたはハードウ
ェアのいずれで構成されていても良く、このソフトウェア又はハードウェアは、１つの物
で構成されていても良いし、複数の物で構成されていても良い。
【００６３】
また、実施の形態において、携帯電話端末を挙げて説明したが、これに限定されるもの
ではなく、例えば、ＰＤＡ、有線端末、電子手帳、電子辞書等の情報端末にも適用できる
。
【００６４】
また、実施の形態では折畳端末を例にとって説明したが、折り畳み式の情報端末に限定
されるものではない。例えば、利用者が操作等を行わないときは、表示部３３又はキー入
力部３６を保護カバーで覆い、利用者が操作等を行う時は、カバーを開いて又はスライド
させて表示部３３又はキー入力部３６を表出させる情報端末にも適用できる。この場合、
図４及び図６のステップ４ｂにおいて開閉検出スイッチ３９が検出するのは、カバーが開
いたこと又はスライドされたこととなり、以降の動作は、前記図４及至から図７に示した
実施の形態のフローチャートにおけるステップ４ｃから６ｃ及び５ａから７ｃと同様とな
る。
【図面の簡単な説明】
【００６５】
【図１】本発明を折り畳み式携帯電話端末に適用した斜視図であり、（ａ）には、折り畳み式携帯電話端末が折り畳まれた状態の外観を示す。（ｂ）には、折り畳み式携帯電話端末が開かれた状態の外観を示す。
【図２】本発明を適用した折り畳み式携帯電話端末の内部構成を示すブロック図である。
【図３】本発明を適用した折り畳み式携帯電話端末の制御部の構成を示すブロック図である。
【図４】本発明の第１の実施の形態の動作を示す第１のフローチャートである。
【図５】本発明の第１の実施の形態の動作を示す第２のフローチャートである。
【図６】本発明の第２の実施の形態の動作を示す第１のフローチャートである。
【図７】本発明の第２の実施の形態の動作を示す第２のフローチャートである。
【符号の説明】
【００６６】
１  無線部、１１  アンテナ、１２  デュプレクサ、１３  送信部、１４  受信部、１５
シンセサイザ、２  制御部、２１  ＲＯＭ、２２  ＲＡＭ、２３  マイクロプロセッサ
、２３１  状態検出手段、２３２  点灯制御手段、２３３  計数手段、２３４  第１の計
時手段、２３５  第２の計時手段、３１  カメラ、３２  表示駆動部、３３  表示部、３
３１  表示部ＬＥＤ、３４  マイク、３５  レシーバ、３６  キー入力部、３６１  キー
入力部ＬＥＤ、３７  バイブレータ、３８  スピーカ、３９  開閉検出スイッチ、４  電
源部、４１  電源、４２  充電回路、４３  電池、Ａ  上ケース、Ｂ  下ケース、Ｃ  ヒ
ンジ部
【図１】
2005079895.tif 000003
【図２】
2005079895.tif 000004
【図３】
2005079895.tif 000005
【図４】
2005079895.tif 000006
【図５】
2005079895.tif 000007
【図６】
2005079895.tif 000008
【図７】
2005079895.tif 000009